(57)【要約】【課題】搭載する処理装置に関わらず同一構成のベースユニットを共用することができる自走式リサイクル作業用機械を提供する。【解決手段】走行体と、この走行体上に設けた本体フレーム７と、この本体フレーム７の長手方向一方側から本体フレーム７の長手方向他方側外方にかけて上り傾斜となるように設けた排出コンベアと、本体フレーム７の長手方向他方側の上部に設けた動力装置と、本体フレーム７に設けられ、充填口９７，９８から充填した所要量の流動体を貯留して機体重心の前後位置を調整する重心調整手段とを備えたことを特徴とする。【選択図】  図１７
2005334742.tif 000002
【特許請求の範囲】
【請求項１】
走行手段と、
この走行手段上に設けた本体フレームと、
この本体フレームの長手方向一方側から前記本体フレームの長手方向他方側外方にかけて上り傾斜となるように設けた排出コンベアと、
前記本体フレームの長手方向他方側の上部に設けた動力装置と、
前記本体フレーム又は前記走行手段のトラックフレームに設けられ、機体重心の前後位置を調整する重心調整手段と
を備えたことを特徴とする自走式リサイクル作業用機械。
【請求項２】
前記重心調整手段は、前記本体フレーム又は前記トラックフレームの空洞部に設けたタンク部と、このタンク部に所要量の流動体を充填するための充填口とを有することを特徴とする請求項１に記載の自走式リサイクル作業用機械。
【請求項３】
前記重心調整手段は、前記タンク部内の流動体を排出するための排出口をさらに備えていることを特徴とする請求項２に記載の自走式リサイクル作業用機械。
【請求項４】
前記重心調整手段は、前記本体フレームの長手方向一方側に着脱可能な所要重量の重量物であることを特徴とする請求項１に記載の自走式リサイクル作業用機械。
【請求項５】
前記重心調整手段は、前記本体フレームの長手方向一方側に、前記本体フレームの長手方向に位置調整可能に設けた重量物であることを特徴とする請求項１に記載の自走式リサイクル作業用機械。
【発明の詳細な説明】
【技術分野】
【０００１】
本発明は、リサイクル原料に所定の処理を施してリサイクル品を生産する自走式リサイクル品生産機械や、この自走式リサイクル品生産機械の周辺で補機的役割を果たす自走式リサイクル品生産補助機械を含めたリサイクル品の生産に関わる作業を行う自走式リサイクル作業用機械に関するものである。
【背景技術】
【０００２】
自走式リサイクル作業用機械のうち、リサイクル品生産補助機械には、例えばリサイクル品生産機械に供給されるリサイクル原料又はリサイクル品生産機械から排出されたリサイクル品をスクリーン等の処理装置によって粒度に応じて選別する自走式スクリーンや、リサイクル原料又はリサイクル品に添加する粉粒体等を供給装置等の処理装置によって定量ずつ切り出してリサイクル品生産機械に供給する自走式供給機械等がある。
【０００３】
一方、リサイクル品生産機械では、建設発生土等をリサイクル原料とし、これを土質改良材とともに混合装置等の処理装置により混合処理しリサイクル品としての改良土とする自走式土質改良機や、建設廃材や産業廃棄物や廃木材等といった被破砕物をリサイクル原料とし、これを破砕装置等の処理装置により所定の大きさに破砕処理してリサイクル品としての破砕物とする自走式破砕機等が代表的である（例えば、特許文献１等参照）。
【０００４】
【特許文献１】特開平８−２９９８３９号公報
【発明の開示】
【発明が解決しようとする課題】
【０００５】
上記の自走式リサイクル品生産機械や自走式リサイクル品生産補助機械を含めて、自走式リサイクル作業用機械では、一般に走行装置上に本体フレームを配設し、この本体フレームによって、動力源となる動力装置、主目的作業を行う処理装置、処理装置から排出されたリサイクル原料又はリサイクル品を搬送し機外に排出する排出コンベア等を支持して構成されている場合が多い。つまり、各種の自走式リサイクル作業用機械は、一般に、走行装置、動力装置、及び排出コンベアで概略構成されたベースユニットに処理装置やその周辺装置を搭載して構成されたものともいえ、構造的に共通点も多い。それに対し、上記従来技術では、自走式破砕機において、処理装置である破砕装置をジョークラッシャとインパクトクラッシャとで載せ換え、ベースユニットを共用して用途の異なる二種類の自走式破砕機を選択的に構成可能としている。
【０００６】
しかしながら、各種自走式リサイクル作業用機械において、その処理装置の大きさや周辺構造物の重量はまちまちである。しかも、全く用途の異なるものに構成を切り換えようとすると、処理装置によって例えばフィーダ等といった周辺機器が新たに必要となる場合もある。そのため、ベースユニットを共用して用途の異なる各種の自走式リサイクル作業用機械を構成する場合、単に処理装置等を載せ換えるだけでは機体の重心位置が変化してしまう。したがって多くの場合、処理装置の載せ換えに伴って動力装置等の配置を調整し機体全体の重量をバランスさせなければならず、各種の自走式リサイクル作業用機械においてベースユニットをそのまま共用することは困難である。
【０００７】
本発明は上記に鑑みなされたものであり、その目的は、搭載する処理装置に関わらず同一構成のベースユニットを共用することができる自走式リサイクル作業用機械を提供することにある。
【課題を解決するための手段】
【０００８】
上記目的を達成するために、第１の発明は、走行手段と、この走行手段上に設けた本体フレームと、この本体フレームの長手方向一方側から前記本体フレームの長手方向他方側外方にかけて上り傾斜となるように設けた排出コンベアと、前記本体フレームの長手方向他方側の上部に設けた動力装置と、前記本体フレーム又は前記走行手段のトラックフレームに設けられ、機体重心の前後位置を調整する重心調整手段とを備えたことを特徴とする。
【０００９】
第２の発明は、第１の発明において、前記重心調整手段は、前記本体フレーム又は前記トラックフレームの空洞部に設けたタンク部と、このタンク部に所要量の流動体を充填するための充填口とを有することを特徴とする。
【００１０】
第３の発明は、第２の発明において、前記重心調整手段は、前記タンク部内の流動体を排出するための排出口をさらに備えていることを特徴とする。
【００１１】
第４の発明は、第１の発明において、前記重心調整手段は、前記本体フレームの長手方向一方側に着脱可能な所要重量の重量物であることを特徴とする。
【００１２】
第５の発明は、第１の発明において、前記重心調整手段は、前記本体フレームの長手方向一方側に、前記本体フレームの長手方向に位置調整可能に設けた重量物であることを特徴とする。
【発明の効果】
【００１３】
本発明によれば、本体フレーム又はトラックフレームに備えた重心調整手段によって機体重心を前後に位置調整可能であるので、搭載する処理装置に関わらず同一構成のベースユニットを共用することができる。
【発明を実施するための最良の形態】
【００１４】
以下、本発明の自走式リサイクル作業用機械の一実施形態について図面を用いて説明する。
図１は本発明の自走式リサイクル作業用機械の一実施形態の全体構造を表す側面図、図２は平面図、図３は背面図である。
なお、以下の説明において、図１中の左・右を、それぞれ本自走式リサイクル作業用機械における後・前又は本体フレーム長手方向の一方側・他方側とする。
【００１５】
図１乃至図３において、１は走行体で、この走行体１は、トラックフレーム２と、このトラックフレーム２の両端に設けた従動輪３及び駆動輪４と、この駆動輪４に直結した駆動装置５と、従動輪３及び駆動輪４に掛け回した履帯６とで構成されている。７はトラックフレーム２の上部に略水平に配設されたメインフレーム（本体フレーム）で、このメインフレーム７は角パイプ等で構成されており、その長手方向他方側の上部には動力装置８が、長手方向一方側の上部には取付フレーム９が設けられている。なお、本例においては、メインフレーム７及び取付フレーム９で本体フレームを構成するものとする。
【００１６】
動力装置８は、本体フレーム長手方向他方側端部に支持部材１０を介して支持されており、繁雑防止のため特に図示していないが、本実施形態の自走式リサイクル作業用機械の駆動源であるエンジンと、このエンジンにより駆動される少なくとも１つの油圧ポンプと、この油圧ポンプから各駆動装置に供給される圧油を制御する複数のコントロールバルブとを内蔵している。１１はこの動力装置８の側方の区画に設けた運転席で、この運転席１１には、図１乃至図３に示すように、各種操作を行う操作レバーや操作盤等が設けられている。
【００１７】
取付フレーム９は、メインフレーム７上に固定された下フレーム９ａと、この下フレーム９ａ上に立設した支持ポスト９ｂと、支持ポスト９ｂ上に略水平に設けた上フレーム９ｃとで構成されている。この取付フレーム９は、用途に応じた処理装置（主装置、詳細は後述）を搭載するためのもので、上フレーム９ｃには、特に図示していないが、例えば、処理装置の搭載位置に取付台座やボルト穴等が設けられている。これにより、搭載する処理装置が排出コンベア１２の搬送方向上流側部分（図１中の左側部分）の上方に位置するように適宜取り付けられるようになっている。
【００１８】
上記排出コンベア１２は、ほぼメインフレーム７の高さ位置にある搬送方向上流側（本体フレーム長手方向一方側）端部から搬送方向下流側（本体フレーム長手方向他方側）外方にかけて上り傾斜となるように、動力装置８の上方を通して設けられている。また、この排出コンベア１２は、その搬送方向中間部が支持部材１４を介して動力装置８のベースフレーム８ａに支持されており、それよりも搬送方向上流側部分において、支持部材１４ａを介しメインフレーム７のほぼ中央部上に支持されている。この排出コンベア１２は、コンベアフレーム１５と、このコンベアフレーム１５の両端に設けた駆動輪１６及び従動輪１７と、これら駆動輪１６及び従動輪１７に掛け回したコンベアベルト１８と、このコンベアベルト１８を支持する支持ローラ１９と、駆動輪１６に連結した駆動装置２０を備えており、駆動装置２０によって駆動輪１６を回転させコンベアベルト１８を循環駆動させるようになっている。なお、特に説明しないが、この排出コンベア１２の従動輪１７側には、公知のベルト張り調整機構が設けられている。また、図２では、排出コンベア１２の構造を詳細に図示するために、コンベアベルト１８を破断して図示してある。
【００１９】
図４は、排出コンベア１２の詳細構造を表す拡大側面図で、図中、先の各図と同様の部分には同符号を付し説明を省略する。
この図４に示すように、コンベアフレーム１５は、ほぼメインフレーム７の高さ位置から動力装置８の上部に向かって上り傾斜に延設された上流部２１と、この上流部２１に対し上下方向に回動可能に連結された下流部２２とで構成されている。上流部２１は、前述したように、上記支持部材１４等によって動力装置８のベースフレーム８ａに支持されるとともに、支持部材１４ａによってメインフレーム７に支持されている。一方、上流部２１及び下流部２２の互いの対向端部の下部側には、それぞれブラケット２３，２４が取り付けられており、これらブラケット２３，２４がピン２５を介して連結している。下流部２２の下部側には、支持部材２６が固定されており、この支持部材２６と上記動力装置ベースフレーム８ａとの間には、油圧シリンダ２７の両端が回動可能に連結されている。すなわち、油圧シリンダ２７の伸縮により、下流部２２が上流部２１に対して回動する構成となっている。
【００２０】
また、上流部２１の上部側には、ピン２５をそのほぼ中心とする円弧状のブラケット２８が設けられており、一方、下流部２２の上部側には、ほぼ直線状のブラケット２９が設けられている。円弧状のブラケット２８には、所定間隔で複数のピン穴３０が穿設されており、下流部２２の回動角度に対応するピン穴３０に対し、ブラケット２９をピン３１で固定することにより、下流部２２を上流部２１に対して機械的に固定する構成となっている。
【００２１】
図１乃至図３に戻り、３２は後述するサイドコンベア３９を積載するベースフレームで、このベースフレーム３２は、取付フレーム９の下フレーム９ａとの対向端部が、下フレーム９ａの長手方向一方側（図１中左側）端部に、下フレーム９ａの長手方向（図１中左右方向）にスライド可能に挿入されている。また、このベースフレーム３２は、油圧シリンダ３３を介して下フレーム９ａと連結されている。油圧シリンダ３３の両端は、下フレーム９ａ及びベースフレーム３２にそれぞれ設けたブラケットに対し回動可能に連結されている。これにより、ベースフレーム３２は、油圧シリンダ３３の伸縮動作に伴って、下フレーム９ａに対して進退する構成となっている。
【００２２】
図５は、取付フレーム９の長手方向一方側端部の構造を表す斜視図である。この図において、先の各図と同様の部分には同符号を付し説明を省略する。
図５に示すように、取付フレーム９は、下フレーム９ａ及び上フレーム９ｃにおける長手方向一方側端部近傍に、本体フレーム幅方向に掛け渡したビーム９ｄ，９ｅを備えている。取付フレーム９の構成部材、すなわち下フレーム９ａ、支持ポスト９ｂ、上フレーム９ｃ、ビーム９ｄ，９ｅは、それぞれ中空の部材、例えば角パイプ等で形成されている。このとき、下フレーム９ａ及び上フレーム９ｃ内の空洞部は、その長手方向一方側の端部近傍がそれぞれ隔壁７０で区画されている。
【００２３】
本実施形態においては、これら隔壁７０で区画された上下フレーム９ａ，９ｃ内の長手方向一方側端部近傍部分、支持ポスト９ｂの空洞部、及びビーム９ｄ，９ｅの空洞部のそれぞれを、重心調整手段としての役割を果たすタンク部７１〜７５としている。このタンク部７１〜７５には、本自走式リサイクル作業用機械の重心の前後位置を調整するための錘（おもり）の役割を果たす流動体が、搭載する処理装置により変化する重心の補正に必要なだけ充填される。充填する流動体としては、例えば、水等の液体、砂等の粉粒体の他、コンクリートやアスファルト、油圧ショベルのカウンタウェイト用の詰め物等、充填時に流動性を有している物質であれば適用可能である。流動体として液体や粉粒体等、充填後も流動性が維持されるものを用いる場合、流動体の漏洩を防止するために、例えばタンク部７１〜７５を水密溶接する。７６〜８０はそれぞれタンク部７１〜７５に所要量の流動体を充填するための充填口、８１〜８５はそれぞれタンク部７１〜７５内の流動体を排出するための排出口で、これら充填口７６〜８０、排出口８１〜８５はそれぞれ例えばプラグ等によって開閉可能である。
【００２４】
本実施形態の自走式リサイクル作業用機械のベースユニットは以上のように構成されているが、前述したように、上記取付フレーム９には、用途に応じた処理装置が取り付けられるようになっている。本実施形態においては、図１乃至図３に示すように、処理装置として、スクリーン（篩装置）３４及びホッパ３５を取り付け、自走式スクリーンとして構成した場合を例として図示している。
【００２５】
スクリーン３４は、投入されるリサイクル原料又はリサイクル品等といった選別対象物（一例としては土砂等）を粒度に応じて選別するもので、内部に所定の目の大きさの格子３６を備え、取付フレーム９上にばね３７を介して振動可能に支持されている。３８がこのスクリーン３４の加振機であり、この加振機３８によってスクリーン３４を振動させることにより、投入された選別対象物のうち、格子３６の目の大きさよりも大きなものが除去され、小さなものが下方へ導かれるようになっている。ホッパ３５は、スクリーン３４と排出コンベア１２との間に位置するように取付フレーム９に支持されており、上方拡開の概略枠型に形成され、スクリーン３４の下方から落下した所定粒度以下の選別対象物を確実に排出コンベア１２上に導く役割を果たす。
【００２６】
ここで、スクリーン３４に投入された選別対象物のうち、所定粒度以上のものがスクリーン３４の格子３６上を移動して機体の後方側に落下する。本実施形態においては、本体フレーム長手方向一方側にサイドコンベア３９を設け、このスクリーン３４で選別された所定粒度以上の選別対象物を機体の側方に搬送し排出することができるようになっている。
【００２７】
サイドコンベア３９は、機体の側部に収容可能なように折り畳み式に構成されており、図１乃至図３では、サイドコンベア３０を収容した状態を図示している。ベースフレーム３２上には、このベースフレーム３２に対して回転軸４０を支点に旋回可能な旋回フレーム４１が設けられている。サイドコンベア３９は、この旋回フレーム４１に対して幅方向一方側を支点に垂直方向に回動可能に支持された上流部４２と、この上流部４２に対し当該サイドコンベア３９の搬送面とほぼ垂直な面内を回動可能に連結された下流部４３とを備えている。
【００２８】
サイドコンベア３９は、上流部４２に上流側フレーム４４と、この下流側フレーム４４を取り付けたベース１３と、下流部４３の下流側フレーム４５と、この下流側フレーム４５の下流端に設けた駆動輪４６と、上流側フレーム４４の上流端に設けた従動輪４７と、これら駆動輪４６及び従動輪４７に掛け回したコンベアベルト４８と、このコンベアベルト４８を支持する複数の支持ローラ４９と、駆動輪４６に連結した駆動装置５０を備えている。このような構造により、サイドコンベア３９は、後述するように展開した後、駆動装置５０によって駆動輪４６を回転させコンベアベルト４８を循環駆動させる。なお、特に説明しないが、このサイドコンベア３９の従動輪４７側には、公知のベルト張り調整機構が設けられている。
【００２９】
図２に示すように、サイドコンベア３９の上流側フレーム４４は、ベース１３に対してピン５９を介して回動可能に連結されている。ベース１３は、図１に示すように、図示しないブラケットを介し旋回フレーム４１のブラケット５１に対してピン５２により連結されている。ベース１３と旋回フレーム４１とは、これらに対し両端が回動可能に取り付けられた油圧シリンダ５３により連結されている。また、図２に示すように、上流側フレーム４４と下流側フレーム４５とは、それぞれに取り付けたブラケット５４，５５がピン５６を介して連結されることにより、互いに回動可能に連結されている。また、ベース１３と下流側フレーム４５とは、これらに対し両端が回動可能に取り付けられた油圧シリンダ５７により連結されている。５８はサイドコンベア３９を稼動状態としたときに、上流側フレーム４５を地面より支える脚である。
【００３０】
図６は、サイドコンベア３９の展開手順を表した説明図である。
図６（ａ）のような収容状態からサイドコンベア３９を展開する際には、まず、油圧シリンダ５７を伸長し、図６（ｂ）に示すように、サイドコンベア３９の下流部４３が上流部４２に対してほぼ直線状になるまで、下流部４３を回動させる。次いで、油圧シリンダ５３を縮め、図６（ｃ）に示すように、コンベアベルト４８がほぼ水平の状態となるよう、サイドコンベア３９を旋回フレーム４１側に倒す。このような状態となったら、油圧シリンダ５７をさらに伸長させ、図６（ｄ）に示すように、下流側に向かって上り傾斜となるようにサイドコンベア３９をベース１３に対して回動させる。そして、脚５８を引き出して、図６（ｄ）の状態でサイドコンベア３９がしっかりと固定されるように、下流部４３を地面より支持する。このようにしてサイドコンベア３９を展開した状態の本実施形態の自走式リサイクル作業用機械の側面図、平面図、正面図を、それぞれ図１乃至図３に対応させて図７乃至図９に示した。なお、サイドコンベア３９を収容する場合は、図６に示した手順と逆の手順で行う。
【００３１】
また、前述したように、サイドコンベア３９は、旋回フレーム４１により支持されている。旋回フレーム４１は、ベースフレーム３２に対して旋回可能であるので、旋回フレーム４１を旋回させることにより、サイドコンベア３９が旋回可能な構成になっている。
【００３２】
図１０は、サイドコンベア３９の旋回手順を表した説明図である。
図１０（ａ）は、先の図６（ｃ）と同じ状態を表している。サイドコンベア３９を旋回させる場合には、まず、油圧シリンダ３３を伸長し、図１０（ｂ）に示すように、ベースフレーム３２を取付フレーム９に対して突出する方向にスライドさせ、サイドコンベア３９を旋回させるためのスペースを確保する。ベースフレーム３２をスライドさせたら、操作者は、サイドコンベア３９を押し、回転軸４０を中心に旋回フレーム４１を回転させ、図１０（ｃ）のように、図１０（ａ）とは逆方向を向くように、サイドコンベア３９を旋回させる。このとき、回転軸４０を回転駆動させる旋回装置を別途設け、人手によらず油圧駆動又は電動で旋回するようにしても良い。そして、油圧シリンダ３３を縮め、図１０（ｄ）に示したように、サイドコンベア３９を稼動位置にスライドさせる。この位置でサイドコンベア３９を稼動させる場合、先に図６（ｄ）で説明した手順を続けて行う。再び、図１０（ａ）の状態にサイドコンベア３９を戻す場合は、上記と逆の手順を行う。
【００３３】
次に、上記構成の本実施形態の自走式リサイクル作業用機械の動作及び作用を説明する。
まず、図６（ａ）乃至図６（ｄ）で説明したようにサイドコンベア３９を展開し、図７乃至図９に示した状態とした後、例えば、油圧ショベル等によりスクリーン３４に選別対象物を投入すると、このスクリーン３４の格子３６を通過した所定粒度以下の選別対象物が下方のホッパ３５へと導入される。ホッパ３５で受け入れられた選別対象物は、排出コンベア１２上に導かれ、この排出コンベア１２によって搬送され機外（例えば図８中の右側）に排出される。一方、スクリーン３４の格子３６を通過しない所定粒度以上の選別対象物は、格子３６上を移動してサイドコンベア３９上に落下する。そして、サイドコンベア３９上に落下した選別対象物は、このサイドコンベア３９によって搬送され、機体の側方（この場合、図８中の上側）に排出される。
【００３４】
このとき、前述したように、本実施形態においては、以上の自走式スクリーンに代えて他の自走式リサイクル作業用機械を構成する場合、走行体１、排出コンベア１２、動力装置８等からなる本体部（ベースユニット）を共用することができる。つまり、用途（自走式リサイクル作業用機械の種類）に応じて処理装置を交換し取付フレーム９に取り付けることによって、様々な自走式リサイクル作業用機械に構成を変えることができる。以下に、異なる処理装置を搭載して構成した他の自走式リサイクル作業用機械の代表例について図面を用いて幾つか簡単に説明する。
【００３５】
まず、図１１は、処理装置を装着していない状態の本実施形態の自走式リサイクル作業用機械、すなわちベースユニットの全体構造を表す側面図であり、この図において先の各図と同様の部分には同符号を付し説明を省略する。
図１１に示すように、自走式リサイクル作業用機械のベースユニットは、走行体１、動力装置８、排出コンベア１２を有し、この状態のままでも移動式コンベアとして稼動することが可能である。
【００３６】
図１２は、処理装置としてホッパ６０を装着した場合の自走式リサイクル作業用機械の全体構造を表す側面図であり、この図において先の各図と同様の部分には同符号を付し説明を省略する。
図１２のように、取付フレーム９の上フレーム９ｃに、上方に向かって拡開したホッパ６０を取り付けることにより、例えば油圧ショベル等からの投入物（リサイクル原料、リサイクル品等）がホッパ６０によって確実に受け入れられ、排出コンベア１２上に導かれる。そして、投入物は、排出コンベア１２により搬送され、所定の箇所に集積されたり、他の機械に供給されたりする。
【００３７】
図１３は、処理装置として供給装置６１を装着した場合の自走式リサイクル作業用機械（自走式供給機械）の全体構造を表す側面図であり、この図において先の各図と同様の部分には同符号を付し説明を省略する。
図１３に示すように、供給装置６１は、上方に向かって拡開したホッパ６２と、このホッパ６２の下部に設けた供給部（ロータリフィーダ）６３とからなる。このような供給装置６１を、取付フレーム９の上フレーム９ｃに取り付けることにより、ホッパ６２内に投入された投入物は、供給部６３内のロータの回転数に応じた所定の量ずつ排出コンベア１２上に導出される。したがって、ホッパ６２内の投入物は、所定量ずつ排出コンベア１２により搬送されるので、リサイクル品生産機械等に、リサイクル原料、リサイクル品（半製品）、又はこれらに添加する粉粒体等を供給するのに役立つ。
【００３８】
図１４は、処理装置として供給装置（粉粒体供給装置）６４を装着した場合の自走式リサイクル作業用機械（自走式供給機械）の全体構造を表す側面図であり、この図において先の各図と同様の部分には同符号を付し説明を省略する。
図１４に示すように、供給装置６４は、粉粒体を貯留する貯留タンク６５と、この貯留タンク６５の下部に連設したシュート６６と、このシュート６６の下部に設けた供給部（スクリュフィーダ）６７とからなる。このような供給装置６４を、取付フレーム９の上フレーム９ｃに取り付けることにより、予め貯留タンク６５内に貯留しておいた粉粒体は、シュート６６により供給部６７に導かれ、供給部６７内のスクリュの回転数に応じた所定の量ずつ排出コンベア１２上に導出される。したがって、貯留タンク６５内の粉粒体は、所定量ずつ高精度に排出コンベア１２により搬送されるので、リサイクル品生産機に対し、リサイクル原料やリサイクル品に混合する粉粒体、或いはリサイクル原料やリサイクル品（半製品）そのものを供給するのに役立つ。
【００３９】
図１５は、処理装置としていわゆるロータリスクリーン６８を装着した場合の自走式リサイクル作業用機械（自走式スクリーン）の全体構造を表す側面図であり、この図において先の各図と同様の部分には同符号を付し説明を省略する。
図１５に示した自走式リサイクル作業用機械においては、公知の構成のロータリスクリーン６８によって、粒度に応じて選別対象物が篩い分けられ、所定粒度以上のものは排出コンベア１２に、所定粒度以下のものはサイドコンベア３９に導かれる。
自走式スクリーンを構成する場合、先のスクリーン３４のようないわゆる振動篩の他にも、本例のようなロータリスクリーン６８や、例えばロールスクリーンや単なる固定篩等といった様々なタイプの選別装置が搭載可能である。
【００４０】
以上のように、図１１乃至図１５に示したものを代表例として、本実施形態の自走式リサイクル作業用機械においては、共通のベースユニットに対し用途に応じて様々な処理装置を搭載することにより、高い汎用性を有する経済性に優れた自走式リサイクル作業用機械を提供することができる。
【００４１】
このとき、各種自走式リサイクル作業用機械において、その処理装置の大きさや周辺装置の重量はまちまちである。例えば、同じ選別装置でも振動式のスクリーン３４とロータリスクリーン６８とでは構成も重量も異なる。また、図１や図１５に示した自走式スクリーンでは、サイドコンベア３５を処理装置の周辺装置として取り付けているが、図１２の自走式コンベアや図１３及び図１４の各自走式供給機械では、処理装置の周辺装置は不要である。そのため、ベースユニットを共用して用途の異なる各種の自走式リサイクル作業用機械を構成する場合、単に処理装置等を載せ換えるだけでは機体の重心位置が変化してしまう。
【００４２】
そこで、本実施形態においては、本体フレーム（本例では取付フレーム９）に、重心調整手段としてのタンク部７１〜７５を備え、これらタンク部７１〜７５に重心調整用の流動体を所要量充填して機体重心を前後に移動させることにより、搭載する処理装置が異なっても、ベースユニットの構成に手を加えることなく機体全体の重量をバランスさせることができる。よって、本実施形態の自走式リサイクル作業用機械によれば、搭載する処理装置に関わらず同一構成のベースユニットを共用することができる。また、これにより、各種自走式リサイクル作業用機械の製作コストを大幅に低減することもできる。また、重量調整手段によって本体フレームに加重することができるので、機体を低重心化することができ、機体安定性を向上させられることもメリットである。
【００４３】
また、本実施形態においては、各タンク部７１〜７５に排出口８１〜８５を設けているので、流動体に液体や粉粒体を用いた場合、タンク部７１〜７５から流動体を抜き取ることができるので、一旦ある用途の自走式リサイクル作業用機械を構成した後で他の自走式リサイクル作業用機械に構成し直す場合にも、本体フレームを交換することなく再度重心位置の調整が可能である。
【００４４】
加えて、通常、この種の機械では、排出コンベアが動力装置の下方を通して配設されている場合が多いが、本実施形態によれば、排出コンベア１２を動力装置８の上方を通して配置してあるので、排出高さを高く確保することができる。また、排出コンベア１２の下流部２２が上流部２１に対して俯仰動するので、先に図１に示した状態から図７に示した状態まで段階的に排出高さを変化させることができ、作業に応じた排出高さを設定することができる。また、このように排出コンベア１２の下流部２２を俯仰動するように構成したので、トレーラ等によって本自走式リサイクル作業用機械を輸送する際にも、排出コンベア１２の下流部２２をほぼ水平位置に折り曲げることで（図１の状態とすることで）一般道路における輸送高さ制限を満足することができ、優れた輸送性が確保される点も大きなメリットである。
【００４５】
また、排出コンベア１２を動力装置８の上方を通したことにより、排出コンベア１２の周囲空間が十分に確保されるので、排出コンベア１２のメンテナンスを容易に行うことができ、何等かの異物が排出コンベア１２に詰まった場合でも、異物の除去等も極めて容易にできる。
【００４６】
更に、前述したように、例えば、自走式スクリーンを構成する場合には、作業に応じてサイドコンベア３９を取り付けられるので、複数の粒度の選別対象物を同時に得て搬送し、集積する又は他の機器に供給することができる。また、この場合、サイドコンベア３９は、折り畳んで機体の側部に収容可能な構成であるので、トレーラ等で輸送する際の輸送制限を満足することができる。また、通常、サイドコンベアは、オプションとして装備されるので、稼動現場にて組み立て、取り付けの作業を伴うのが一般的であったが、本実施形態においては、稼動時には各油圧シリンダを伸縮操作することにより、容易に展開、収容が可能であり、煩わしい組み立てや取り付けの作業を要さず、作業効率を向上させることができる。しかも、このサイドコンベア３９を旋回させることができるので、作業に応じて搬送物の排出位置を変更することができ、稼動現場でのレイアウト性にも優れる。
【００４７】
なお、以上においては、排出コンベア１２を動力装置８の上を通して配設した場合を例に図示説明したが、勿論、処理装置を載せ換えて異なる自走式リサイクル作業用機械を構成するに際し全く同一構成のベースユニットを共用できるという本発明の本質的効果を得る限りにおいては、ベースユニットは、動力装置８の下方に排出コンベア１２を通して構成したものであっても構わない。
【００４８】
図１６は、本発明の自走式リサイクル作業用機械に備えられたベースユニットの他の構成例の全体構成を表す側面図で、この図において、先の各図と同様の部分又は同様の機能を果たす部分には同符号を付し説明を省略する。また、上記と同様、図１６中の左・右を、それぞれ自走式リサイクル作業用機械における後・前又は本体フレーム長手方向の一方側・他方側とする。
図１６に示すように、本例におけるベースユニットは、走行体１と、この走行体１のトラックフレーム２上に設けた本体フレーム（メインフレーム）７と、このメインフレーム７の長手方向一方側からメインフレーム７の長手方向他方側外方にかけて上り傾斜となるように設けた排出コンベア１２と、メインフレーム７の長手方向他方側の上部に設けた動力装置８とで概略構成されている。
【００４９】
本実施形態において、排出コンベア１２は、メインフレーム７よりも下方位置から搬送方向（図１６中の右方向）に向かって上り傾斜となるように、メインフレーム７、動力装置８の前方に張り出したアーム９０にそれぞれ設けた支持部材９１，９２によって、動力装置８の下方を通して吊り下げ支持されている。９３は排出コンベア１２上の搬送物から磁性体の異物を除去するための磁選機であるが、排出コンベア１２上の搬送物に磁性体の異物が混入されるようなことがまずない場合は、磁選機９３を省略しても良い。
【００５０】
図１７は、本体フレームの長手方向一方側端部の構造を表す斜視図である。この図において、先の各図と同様の部分には同符号を付し説明を省略する。
図１７に示すように、本体フレームは、そのメインフレーム７の長手方向一方側端部近傍に、幅方向に掛け渡したビーム７ａを備えている。本体フレームの構成部材、すなわちメインフレーム７及びビーム７ａは、それぞれ中空の部材、例えば角パイプ等で形成されている。このとき、メインフレーム７内の空洞部は、その長手方向一方側の端部近傍が隔壁９４で区画されている。
【００５１】
本実施形態においては、これら隔壁９４で区画されたメインフレーム７内の長手方向一方側端部近傍部分、及びビーム７ａの空洞部のそれぞれを、重心調整手段としての役割を果たすタンク部９５，９６としている。このタンク部９５，９６には、本自走式リサイクル作業用機械の重心の前後位置を調整するための錘（おもり）の役割を果たす流動体が、搭載する処理装置により変化する重心の補正に必要なだけ充填される。充填する流動体としては、上記と同様、例えば、水等の液体、砂等の粉粒体の他、コンクリートやアスファルト、油圧ショベルのカウンタウェイト用の詰め物等、充填時に流動性を有している物質であれば適用可能である。流動体として液体や粉粒体等、充填後も流動性が維持されるものを用いる場合、流動体の漏洩を防止するために、例えばタンク部９５，９６を水密溶接する。９７，９８はそれぞれタンク部９５，９６に所要量の流動体を充填するための充填口、９９，１００はそれぞれタンク部９５，９６内の流動体を排出するための排出口で、これら充填口９７，９８、排出口９９，１００はそれぞれ例えばプラグ等によって開閉可能である。
【００５２】
図１８は、本発明の自走式リサイクル作業用機械に備えられた他のベースユニットを用いて構成した自走式リサイクル作業用機械（自走式破砕機）の全体構成を表す側面図、図１９はその背面図である。但し、これらの図において、先の各図と同様の部分又は同様の機能を果たす部分には同符号を付し説明を省略する。
図１８及び図１９において、１０５は例えば廃タイヤ等、リサイクル原料としての被破砕物を破砕処理する破砕装置（シュレッダ）である。繁雑防止のため特に図示しないが、この破砕装置１０５は、回転軸に多数のカッタを挿通した回転体を複数（例えば２つ）内蔵している。これら回転体は、隣接するもの同士互いに噛み合っており、これら回転体間に導入されたリサイクル原料をせん断し破砕するようになっている。１０６は投入される被破砕物（リサイクル原料）を受け入れて破砕装置１０５に導くホッパである。
【００５３】
即ち、この自走式リサイクル作業用機械は、メインフレーム７により支持された破砕装置１０５を処理装置として、この破砕装置１０５の上部に設けたホッパ１０６をその周辺装置としてベースユニット上に設けたもので、投入されたリサイクル原料は、ホッパ１０６を介して破砕装置１０５に導入され、そこで破砕処理されて排出コンベア１２により機外に排出される。
【００５４】
図２０は、本発明の自走式リサイクル作業用機械に備えられた他のベースユニットを用いて構成した他の自走式リサイクル作業用機械（自走式破砕機）の全体構成を表す側面図、図２１はその背面図である。但し、これらの図において、先の各図と同様の部分又は同様の機能を果たす部分には同符号を付し説明を省略する。
図２０及び図２１において、１０７は例えば岩石等、リサイクル原料としての被破砕物を破砕処理する破砕装置（いわゆるジョークラッシャ）である。繁雑防止のため特に図示しないが、この破砕装置１０７は、揺動する動歯と固定歯とを備えており、これら動歯及び固定歯間に導入された被破砕物（リサイクル原料）を、動歯の揺動運動により噛み砕くように破砕処理するようになっている。
【００５５】
また、１０８はいわゆるグリズリフィーダで、特に図示しないが、先端が櫛歯状になった複数枚のプレートを階段状に配置し、これらプレートを加振することにより、ホッパ１０９を介して投入された被破砕物を順次破砕装置１０７に搬送供給するものである。また、同時に、その搬送中においてリサイクル原料中に含まれる細粒や細かい土砂等をプレートの櫛歯の隙間からシュート１１０を介し下方に落下させサイドコンベア１１１上へ導くようになっている。
【００５６】
即ち、この自走式リサイクル作業用機械は、破砕装置１０７を処理装置として、ホッパ１０９、グリズリフィーダ４０、シュート１１０、サイドコンベア１１１等をその周辺装置としてベースユニット上に設けたものである。この自走式リサイクル作業用機械において、ホッパ１０９を介してグリズリフィーダ４０に導入されたリサイクル原料のうち、破砕装置１０７に導入されたものは破砕処理されて排出コンベア１２により機外に搬出され、シュート１１０に導かれたものはサイドコンベア１１１により機体側方に搬出される。なお、サイドコンベア１１１を省略する場合、シュート１１０で導かれる細粒を排出コンベア１２に合流させるようにしても良い。
【００５７】
以上のように、図１６乃至図２１に示したものを代表例として、本例の自走式リサイクル作業用機械においては、排出コンベア１２を動力装置８の下方に通した共通のベースユニットに対し用途に応じて様々な処理装置を搭載することにより、高い汎用性を有する経済性に優れた自走式リサイクル作業用機械を提供することができる。そして、本体フレーム（本例ではメインフレーム７）に、重心調整手段としてのタンク部９５，９６を備え、これらタンク部９５，９６に重心調整用の流動体を所要量充填して機体重心を前後に移動させることにより、搭載する処理装置が異なっても、ベースユニットの構成に手を加えることなく機体全体の重量をバランスさせることができる。よって、本例における自走式リサイクル作業用機械においても、搭載する処理装置に関わらず同一構成のベースユニットを共用することができる。また、これにより、各種自走式リサイクル作業用機械の製作コストを大幅に低減することもできる。また、重量調整手段によって本体フレームに加重することができるので、機体を低重心化することができ、機体安定性を向上させられることもメリットである。
【００５８】
また、本例においても、各タンク部９５，９６に排出口９９，１００を設けているので、流動体に液体や粉粒体を用いた場合、タンク部９５，９６から流動体を抜き取ることができるので、一旦ある用途の自走式リサイクル作業用機械を構成した後で他の自走式リサイクル作業用機械に構成し直す場合にも、フレーム交換することなく再度重心位置の調整が可能である。
【００５９】
また、本例においては、タンク部９５，９６をメインフレーム７に設けたが、例えば走行体１のトラックフレーム２に設けても良い。例えば、図１８や図２０において、トラックフレーム２の後方側部分（長手方向一方側部分）２ａの空洞部にタンク部を設け、このタンク部に対し流動体を充填、排出することでも機体重心位置を前後に調整することができる。
【００６０】
図２２は、本発明の自走式リサイクル作業用機械の他の実施形態に備えられた重量調整手段の概略構成図である。
図２２は、本体フレーム（上記メインフレーム７若しくは取付フレーム９）の長手方向一方側端部近傍を図示している。前述した本発明の自走式リサイクル作業用機械の一実施形態においては、本体フレーム又はトラックフレームにタンク部を形成し、このタンク部に流動体を充填することにより機体重心の前後位置を調整する構成を採ったが、本実施形態においては、図示したように、本体フレームの長手方向一方側に、所要重量の重量物１１５を着脱することにより機体重心の前後位置を調整する。
【００６１】
重量物１１５は、その構成に特別な限定はないが、例えば鋼板を必要重量分だけ積み重ね、溶接により接合したもので足りる。そして、例えばボルト１１６等によって本体フレームに対して締結する。すなわち、それぞれ重量の異なる重量物１１５を複数用意しておき、構成する自走式リサイクル作業用機械によって所要重量の重量物１１５を搭載する、若しくは重量物１１５自体取り除くことにより機体重心の前後位置を調整する。
【００６２】
また、同様の原理に基づく他の態様としては、図２３に示したように、所要重量の重量物１１５を本体フレーム（又は取付フレーム９）若しくはそのビーム７ａ（又は９ｄ）にフック１１７によって吊り下げる構成を採っても良い。さらに、図２４に示したように、重量物１１５の固定位置（例えば図示した位置ａ〜ｃ）を本体フレームの長手方向に所定の間隔で複数設ければ、重量の異なる複数の重量物１１５を用意しなくても、その位置調整を図ることにより、機体重心の前後位置を調整することができる。なお、図２４では、重量物１１５の固定位置を位置ａ〜ｃの３箇所としたが、その数や位置は特に限定されない。また、図２４では重量物１１５の固定位置を変えることにより段階的に機体重心を位置調整するが、重量物１１５を本体フレーム長手方向にスライド可能とする構成を採っても良い。
【００６３】
その他の構成は、前述した本発明の自走式リサイクル作業用機械の一実施形態と同様であり、本実施形態においても、前述した実施形態と同様の効果を得ることができる。
【００６４】
なお、以上において、排出コンベア１２を前方側に延設したベースユニットを用いた自走式リサイクル作業用機械に本発明を適用した例を図示し説明したが、これに限られず、排出コンベアを後方側に延設したベースユニットを用いた自走式リサイクル作業用機械にも本発明は適用可能である。また、図１８の例においては、処理装置としてせん断式の破砕装置１０５を搭載した例を説明したが、この破砕装置１０５は、２軸せん断機であってもさらに多数の軸を備えたせん断機であっても構わない。この場合も、本発明を適用することで機体重心の前後位置を調整することができ、同様の効果を得る。
【００６５】
また、破砕装置として、シュレッダ（破砕装置１０５）やクラッシャ（破砕装置１０７）を搭載した例を図１８乃至図２１で説明したが、破砕装置にはさらに他の種類のものもある。例えば、ロール状の回転体に破砕用の刃を取り付けたものを一対としてそれら一対を互いに逆方向へ回転させ、それら回転体の間に岩石・建設廃材等を挟み込んで破砕を行う回転式破砕装置（いわゆるロールクラッシャを含む６軸破砕機等）や、複数個の刃物を備えた打撃板を高速回転させ、この打撃板からの打撃及び反発板との衝突を用いて岩石・建設廃材等を衝撃的に破砕する破砕装置（いわゆるインパクトクラッシャ）や、木材、枝木材、建設廃木等の木材をカッタを備えたロータに投入することにより細片にする木材破砕装置等も、処理装置として搭載可能である。これらの場合も、本発明を適用することで機体重心の前後位置を調整することができ、同様の効果を得る。
【００６６】
また、例えば、建設現場で発生する建設発生土に土質改良材を混合し、改良対象（リサイクル原料）としてリサイクル品（製品または半製品）としての改良土を生産する混合装置を搭載し、自走式土質改良機を構成する場合にも、本発明を適用することで、機体重心の前後位置を調整することができ、同様の効果を得ることができる。
【図面の簡単な説明】
【００６７】
【図１】自走式スクリーンとして構成した本発明の自走式リサイクル作業用機械の一実施形態の全体構造を表す側面図である。
【図２】自走式スクリーンとして構成した本発明の自走式リサイクル作業用機械の一実施形態の全体構造を表す平面図である。
【図３】自走式スクリーンとして構成した本発明の自走式リサイクル作業用機械の一実施形態の全体構造を表す背面図である。
【図４】本発明の自走式リサイクル作業用機械の一実施形態に備えられた排出コンベアの詳細構造を表す拡大側面図である。
【図５】本発明の自走式リサイクル作業用機械の一実施形態に備えられた本体フレームの長手方向一方側端部の構造を表す斜視図である。
【図６】自走式スクリーンとして構成した本発明の自走式リサイクル作業用機械の一実施形態に備えられたサイドコンベアの展開手順を表した説明図である。
【図７】自走式スクリーンとして構成した本発明の自走式リサイクル作業用機械の一実施形態の稼動状態における全体構造を表す側面図である。
【図８】自走式スクリーンとして構成した本発明の自走式リサイクル作業用機械の一実施形態の稼動状態における全体構造を表す平面図である。
【図９】自走式スクリーンとして構成した本発明の自走式リサイクル作業用機械の一実施形態の稼動状態における全体構造を表す正面図である。
【図１０】自走式スクリーンとして構成した本発明の自走式リサイクル作業用機械の一実施形態におけるサイドコンベアの旋回手順を表した説明図である。
【図１１】処理装置を装着していない状態の本発明の自走式リサイクル作業用機械、すなわちベースユニットの全体構造を表す側面図である。
【図１２】処理装置としてホッパを装着した場合の本発明の自走式リサイクル作業用機械の一実施形態の全体構造を表す側面図である。
【図１３】処理装置として供給装置を装着した場合の本発明の自走式リサイクル作業用機械（自走式供給機械）の一実施形態の全体構造を表す側面図である。
【図１４】処理装置として供給装置を装着した場合の本発明の自走式リサイクル作業用機械（自走式供給機械）の一実施形態の他の構成例の全体構造を表す側面図である。
【図１５】処理装置としてスクリーンを装着した場合の本発明の自走式リサイクル作業用機械（自走式スクリーン）の一実施形態の他の構成例の全体構造を表す側面図である。
【図１６】本発明の自走式リサイクル作業用機械の一実施形態に備えられたベースユニットの他の構成例の全体構成を表す側面図である。
【図１７】本発明の自走式リサイクル作業用機械の一実施形態の他の構成例に備えられた本体フレームの長手方向一方側端部の構造を表す斜視図である。
【図１８】本発明の自走式リサイクル作業用機械の一実施形態に備えられたベースユニットの他の構成例を用いて構成した自走式リサイクル作業用機械（自走式破砕機）の一構成例の全体構成を表す側面図である。
【図１９】本発明の自走式リサイクル作業用機械の一実施形態に備えられたベースユニットの他の構成例を用いて構成した自走式リサイクル作業用機械（自走式破砕機）の一構成例の全体構成を表す背面図である。
【図２０】本発明の自走式リサイクル作業用機械の一実施形態に備えられたベースユニットの他の構成例を用いて構成した自走式リサイクル作業用機械（自走式破砕機）の他の構成例の全体構成を表す側面図である。
【図２１】本発明の自走式リサイクル作業用機械の一実施形態に備えられたベースユニットの他の構成例を用いて構成した自走式リサイクル作業用機械（自走式破砕機）の他の構成例の全体構成を表す背面図である。
【図２２】本発明の自走式リサイクル作業用機械の他の実施形態に備えられた重量調整手段の一構成例の概略構成図である。
【図２３】本発明の自走式リサイクル作業用機械の他の実施形態に備えられた重量調整手段の他の構成例の概略構成図である。
【図２４】本発明の自走式リサイクル作業用機械の他の実施形態に備えられた重量調整手段のさらに他の構成例の概略構成図である。
【符号の説明】
【００６８】
１              走行体（走行手段）
２              トラックフレーム
７              メインフレーム（本体フレーム）
８              動力装置
９              取付フレーム（本体フレーム）
１２            排出コンベア
３４，６８      スクリーン
６１，６４      供給装置
７１〜７５      タンク部（重心調整手段）
７６〜８０      充填口（重心調整手段）
８１〜８５      排出口（重心調整手段）
９５，９６      タンク部（重心調整手段）
９７，９８      充填口（重心調整手段）
９９，１００    排出口（重心調整手段）
１０５，１０７  破砕装置
１１５          重量物（重心調整手段）
【図１】
2005334742.tif 000003
【図２】
2005334742.tif 000004
【図３】
2005334742.tif 000005
【図４】
2005334742.tif 000006
【図５】
2005334742.tif 000007
【図６】
2005334742.tif 000008
【図７】
2005334742.tif 000009
【図８】
2005334742.tif 000010
【図９】
2005334742.tif 000011
【図１０】
2005334742.tif 000012
【図１１】
2005334742.tif 000013
【図１２】
2005334742.tif 000014
【図１３】
2005334742.tif 000015
【図１４】
2005334742.tif 000016
【図１５】
2005334742.tif 000017
【図１６】
2005334742.tif 000018
【図１７】
2005334742.tif 000019
【図１８】
2005334742.tif 000020
【図１９】
2005334742.tif 000021
【図２０】
2005334742.tif 000022
【図２１】
2005334742.tif 000023
【図２２】
2005334742.tif 000024
【図２３】
2005334742.tif 000025
【図２４】
2005334742.tif 000026